(57)【要約】【課題】  各種のパーソナライズ設定環境下において、個人／管理者のパーソナライズ設定状況の確認を容易とする。また、パーソナライズ設定方法をより簡便化する。【解決手段】  各種のパーソナライズ設定環境下（例えば、アドレス帳、履歴など）において、パーソナライズ設定状況を印刷（パーソナライズテストプリント）することにより、その設定確認を容易に可能とする。（操作は個人／管理者により変化させる）設定状況についての付加情報（設定日付、使用状況、頻度、等）など、次回の設定に対するヒント情報の出力を行う。印刷結果は、パーソナライズ設定者が加工を行えるようにレイアウトを行い、スキャナ入力することにより、その新たな設定を可能とする。（バーコード印刷とバーコード入力によってもよい）【選択図】  図１
2006166172.tif 000002
【特許請求の範囲】
【請求項１】
原稿画像を読取って画像データに変換する画像読取手段と、前記画像読取手段で読取った画像データに基づいて記録材に画像を形成する画像形成手段と、を有する画像処理装置と、
該画像処理装置に接続された情報処理装置と、
を含む画像処理システムであって、
前記情報処理装置は、前記画像処理装置の設定情報をユーザ識別情報と対応させてユーザごとに記憶するユーザ設定記憶手段を有し、
前記画像処理装置は、
前記画像処理装置固有の設定情報を記憶する装置設定記憶手段と、
前記装置設定記憶手段に記憶された前記設定情報に応じて前記画像処理装置の制御を行う制御手段と、
ユーザを識別するユーザ識別情報を入力する識別情報入力手段と、
前記ユーザ設定記憶手段に前記ユーザ識別情報を送出する識別情報送出手段と、
前記ユーザ設定記憶手段から、送出した前記ユーザ識別情報に対応する前記設定情報を獲得する獲得手段と、
前記獲得手段で獲得した前記設定情報に基づいて前記装置設定記憶手段の内容を変更する設定変更手段と、
前記設定情報をレイアウトし、印刷するパーソナライズ情報プリント手段と、
前記設定情報と関連付けるような設定付加情報を生成する手段と、設定付加情報をレイアウトし、印刷する手段と、
前記パーソナライズ情報印刷手段によって印刷された結果の印刷物に対して、オペレータが書き込みを加えた追記印刷物を、前記画像読取手段によって読み取り、オペレータの書き込み内容（設定情報）を解析する手段と、
前記解析手段によって得た設定情報内容に基づいて、前記装置設定記憶手段の内容を変更する設定変更手段と、
を有することを特徴とする画像処理システム。
【請求項２】
前記ユーザ設定記録手段及び前記装置設定記憶手段は、前記設定情報として、前記画像形成手段の各種設定情報を含むことを特徴とする請求項１に記載の画像処理システム。
【請求項３】
前記ユーザ設定記録手段及び前記装置設定記憶手段は、前記設定情報として、前記画像読取手段の各種設定情報を含むことを特徴とする請求項１又は２に記載の画像処理システム。
【請求項４】
前記画像処理装置は、
画像データに対し編集処理を施す画像編集手段を更に有し、
前記設定情報は、該画像編集手段の各種設定情報を含むことを特徴とする請求項１、２又は３に記載の画像処理システム。
【請求項５】
前記画像処理装置は、
前記画像処理装置の設定及び操作を直接入力する操作手段を更に有し、
前記設定情報は、該操作手段における操作方法に関する情報を含むことを特徴とする請求項１、２、３又は４に記載の画像処理システム。
【請求項６】
前記操作手段は、操作項目を表示する表示手段を有し、
前記設定情報は、前記表示手段に表示される操作項目を含むことを特徴とする請求項５に記載の画像処理システム。
【請求項７】
前記設定変更手段は、更に前記操作手段からの入力に基づいて前記装置設定記憶手段に記憶された設定情報を変更する手段であって、
前記画像処理装置は、前記設定変更手段によって変更された前記装置設定記憶手段の設定情報に基づいて前記ユーザ設定記憶手段の設定情報を更新するユーザ設定更新手段を更に有することを特徴とする請求項５、６に記載の画像処理システム。
【発明の詳細な説明】
【技術分野】
【０００１】
本発明は、画像処理装置及びその装置を含む画像処理システム並びにその制御方法に関する。
【背景技術】
【０００２】
従来、画像処理装置には、複数のユーザに共用されるものがある。例えば、複写機がこれにあたる。
【０００３】
複写機では、通常、操作部を用いて複写倍率やトリミング領域の設定等の各種の設定を行った後、操作部内のコピースタートボタンを押して、複写動作を実行させる。従来の複写機には、この操作部を使用する上での様々な設定を記憶させることにより、ユーザの操作性を向上しうるものが存在する。この様々な設定とは、例えば、以下のようなものである。
【０００４】
１）コピーモードメモリ
コピーを行う場合の複写倍率の指示や各種編集処理の設定をコピーモードと呼ぶが、コピーモードメモリとは、よく使うコピーモードを記憶しておくためのものであり、通常、装置の電源をオフしても消えない構成となっている。ユーザは、よく使うコピーモードをコピーモードメモリに登録することで、簡単な操作で、それを呼び出すことができ、コピーするごとに、よく使うコピーモードを個々に再設定する必要がなくなる。
【０００５】
２）デフォルトコピーモードメモリ
これはデフォルトのコピーモードを設定するものであり、デフォルトのコピーモードとは、操作部の各設定をリセットもしくはクリアした場合の設定値を意味する。例えば、両面モードについて、片面コピーをデフォルトに指定するか、両面コピーをデフォルトに指定するか等を指定する。このデフォルトコピーモードメモリも、装置の電源をオフしても消えない構成となっている。
【０００６】
３）色登録
カラー複写機において、色変換などの編集処理において使う色をあらかじめ登録しておくものであり、色の識別子と色データの組み合わせとして記憶される。この色登録情報も、装置の電源をオフしても消えない構成となっている。
【０００７】
４）画像登録
カラー複写機において、テクスチャー処理や画像合成処理などの編集処理において使う画像をあらかじめ登録しておくものであり、画像の識別子と画像データの組み合わせとして記憶される。この画像登録情報は、データ量が多いため、安価な揮発性メモリに一時的に保持されることが多く、通常、装置の電源をオフすると消える構成となっている。
【０００８】
このような従来例においては、画像処理装置の複数のユーザに対して、装置の各種設定も共用しなければならなかった。そのため、個々のユーザの好みや目的に合わせた設定にすることはできなかった。
【０００９】
具体的に複写機においては以下のような問題が生じていた。
【００１０】
１）コピーモードメモリ等の各種設定が、複数のユーザで共有であり、また登録できる数に制限があった。このため、各ユーザが自分の良く使うコピーモードを登録しようと思っても、空きがなくて登録できない場合や、自分が登録したコピーモードが他のユーザにより上書きされて消されてしまう場合があった。
【００１１】
２）コピーモードメモリ等の各種設定が、装置ごとに独立であった。このため、ユーザがＡという複写機で行う操作方法と、Ｂという複写機で行う操作方法が、同じ機種であっても異なる場合が生じ、ユーザがその違いを覚えておかなければならないという問題があった。また、これに伴い、操作性が低下するという問題があった。さらに、複写機の機種が違えば、さらに設定方法なども変わるため、その違いも覚えておかなければならないという問題があった。
【００１２】
３）各種設定を装置ごとに高価な不揮発性記憶手段を用いて記憶する構成のため、コストの制限により、大量の設定や、画像データ等は記憶できなかった。例えば、トリミング領域を、領域の外周上の多数の点を指定する方法で指定する場合は、領域情報として、この多数の点の座標情報を記憶する必要がある。従来、このような大量の設定は、安価な揮発性メモリに一時的に保持されることが多く、通常、装置の電源をオフすると消える構成となっている。このため、それらの設定はコピーを行う度に再設定を行う必要があった。
【００１３】
上述の様な事情に鑑みて、装置の各種設定を、ユーザごとに保持し、あるユーザが装置を使用する場合に、そのユーザ用の各種設定によって装置をパーソナライズすることのできる画像処理装置及び画像処理システム並びにその制御方法の発明がなされている。（特開２００１−２４８２４）
しかしながら、パーソナライズ化制御を行うことが一般的になってくると、自分が行ったパーソナライズの設定について、時間が経つとともにうろ覚えとなってしまうケースが存在している。このような場合には再設定行為によって再認識をおこなうしかない。
【特許文献１】特開２００１−２４８２４号公報
【発明の開示】
【発明が解決しようとする課題】
【００１４】
本発明は上述のような事情に鑑みてなされたものであり、パーソナライズ設定環境下において、テストプリントを用いてパーソナライズ設定状況の確認を容易とすること、そしてパーソナライズの設定方法の操作性を著しく向上させることのできる画像処理装置及び制御方法を提供することを目的とする。
【課題を解決するための手段】
【００１５】
上記目的を達成するために、本発明の印刷装置システムは、原稿画像を読取って画像データに変換する画像読取手段と、前記画像読取手段で読取った画像データに基づいて記録材に画像を形成する画像形成手段と、を有する画像処理装置と、該画像処理装置に接続された情報処理装置と、を含む画像処理システムであって、前記情報処理装置は、前記画像処理装置の設定情報をユーザ識別情報と対応させてユーザごとに記憶するユーザ設定記憶手段を有し、前記画像処理装置は、前記画像処理装置固有の設定情報を記憶する装置設定記憶手段と、前記装置設定記憶手段に記憶された前記設定情報に応じて前記画像処理装置の制御を行う制御手段と、ユーザを識別するユーザ識別情報を入力する識別情報入力手段と、前記ユーザ設定記憶手段に前記ユーザ識別情報を送出する識別情報送出手段と、前記ユーザ設定記憶手段から、送出した前記ユーザ識別情報に対応する前記設定情報を獲得する獲得手段と、前記獲得手段で獲得した前記設定情報に基づいて前記装置設定記憶手段の内容を変更する設定変更手段と、前記設定情報をレイアウトし、印刷するパーソナライズ情報プリント手段と、前記設定情報と関連付けるような設定付加情報を生成する手段と、設定付加情報をレイアウトし、印刷する手段と、前記パーソナライズ情報印刷手段によって印刷された結果の印刷物に対して、オペレータが書き込みを加えた追記印刷物を、前記画像読取手段によって読み取り、オペレータの書き込み内容（設定情報）を解析する手段と、前記解析手段によって得た設定情報内容に基づいて、前記装置設定記憶手段の内容を変更する設定変更手段と、を有することを特徴とする。
【００１６】
ここで前記ユーザ設定記録手段及び前記装置設定記憶手段は、前記設定情報として、前記画像形成手段の各種設定情報を含むことを特徴とする。
【００１７】
ここで前記ユーザ設定記録手段及び前記装置設定記憶手段は、前記設定情報として、前記画像読取手段の各種設定情報を含むことを特徴とする。
【００１８】
ここで前記画像処理装置は、画像データに対し編集処理を施す画像編集手段を更に有し、前記設定情報は、該画像編集手段の各種設定情報を含むことを特徴とする。
【００１９】
ここで前記画像処理装置は、前記画像処理装置の設定及び操作を直接入力する操作手段を更に有し、前記設定情報は、該操作手段における操作方法に関する情報を含むことを特徴とする。
【００２０】
ここで前記操作手段は、操作項目を表示する表示手段を有し、前記設定情報は、前記表示手段に表示される操作項目を含むことを特徴とする。
【００２１】
ここで前記設定変更手段は、更に前記操作手段からの入力に基づいて前記装置設定記憶手段に記憶された設定情報を変更する手段であって、前記画像処理装置は、前記設定変更手段によって変更された前記装置設定記憶手段の設定情報に基づいて前記ユーザ設定記憶手段の設定情報を更新するユーザ設定更新手段を更に有することを特徴とする。
【発明の効果】
【００２２】
以上説明したように、本発明によれば、パーソナライズ設定環境下において、その設定状況の再確認や履歴情報の確認を容易とするとともに、パーソナライズ設定方法の設定内容の再利用と再設定における多大な簡便化を実現する。これは複写機のパネルが貧弱な機種の場合に非常に有効である。
【発明を実施するための最良の形態】
【００２３】
以下、図面を参照して本発明の実施の形態を説明する。ただし、この実施の形態に記載されている構成要素の相対配置、数式、数値等は、特に特定的な記載がない限りは、この発明の範囲をそれらのみに限定する趣旨のものではない。
【００２４】
以下の実施の形態に共通する本発明の概念は、モードメモリ、ＦＡＸ番号登録、色登録など、画像形成装置内のパーソナライズ情報データベースに記憶させ、ユーザが装置使用時に、ＩＤ情報を基にアクセスしてそれらを使用するシステムにある。
【００２５】
図１は、本発明に係る画像処理装置の第１の実施の形態としてのカラー複写機１の概略構成を示すブロック図である。図示するように、ネットワーク２には、カラー複写機１の他に、他の複写機４、ＦＡＸ５、プリンタ６も接続可能である。３はネットワークサーバであり、ネットワーク上における各種のサービスを行う。例としてはDNS、SMTPサービス、POPサービス、DHCPサービス、等である。
【００２６】
次にカラー複写機１の内部について説明すると、まず、画像読み取り部９で原稿画像を読み取って得られたデジタル画像データ１０は画像処理部１１に送られ、ここで拡大縮小等の様々な画像処理を施され、画像処理を施された画像データ１２は画像形成部１３に送られて、ここで画像形成が行われる。この画像読み取り、画像処理、画像形成を行うための様々な設定は、ユーザにより操作部８を用いて行われる。また、ＣＰＵ１７は操作部８による設定に基づき、各部を制御して、指定された設定に応じたコピーを行うためのものであり、ＲＯＭ１８内のプログラムに従って動作する。ＲＯＭ１８は電源をオフしても内容が揮発しない、書き換え不可なメモリであり、プログラムや固定的なデータを保持するのに使われる。揮発性ＲＡＭ１９は、電源をオフすると内容が揮発する性質の安価で書き換え可能なメモリであり、一時的なデータを保持するのに使用される。不揮発性ＲＡＭ２０は、電源をオフしても内容が揮発しない、比較的高価な書き換え可能なメモリであり、記憶させておきたいデータを保持するのに使用される。なお、不揮発性RAMについてはHDDやフラッシュメモリ等の２次記憶装置としても本発明を適用可能である。
【００２７】
ＩＤカードリーダ２１は、各ユーザが個別に持つＩＤカードを読み取ってＩＤ情報を取得するためのものであって、本実施の形態では、挿入されたＩＤカードから情報を読み取る接触型のカードリーダである。周辺インタフェース１４は後述する原稿自動給紙部１５やステープルソートユニット１６などの周辺装置に内蔵されるサブＣＰＵと通信するためのものであり、コピー動作を行う場合は、これらの周辺装置と通信を行いながら、ＣＰＵ１７の制御に基づいてコピーが実行される。外部インタフェース７はネットワーク２を介して、ＣＰＵ１７がネットワーク上の機器と通信するためのインタフェースである。最後に２２は各部を接続するＣＰＵバスである。
【００２８】
図２は、カラー複写機１の操作部８のキー＆表示配置図である。この操作部は、画像処理装置１を用いてコピーを行う場合に、ユーザが各コピー用動作指示を画像処理装置１に伝え、装置の状況や、現在設定されている各コピー用動作指示をユーザが確認するためのものである。
【００２９】
４２は、操作部全体の設定を初期状態に戻すＲｅｓｅｔキーと、コピー動作を開始させるＳｔａｒｔキーと、コピー動作を停止させるＳｔｏｐキーである。
【００３０】
４３はコピー部数の設定を行うテンキーおよび置数のクリアをおこなうＣ（クリア）キーである。そして、４４は入力されたコピー部数を表示する置数表示部である。次に、４５は上からノンソートコピー、ソートコピー、ステープルソートコピーを選択するためのキー及び選択状況を確認するＬＥＤである。次に４６は上から、片面原稿を片面コピーする通常コピー、片面原稿を両面コピーする両面コピー、両面原稿を両面コピーする両面コピー（以降両両コピーと称す）を選択するためのキー及び選択状況を確認するＬＥＤである。次に、４７はコピー時の給紙段を選択するためのキー及び選択状況を確認するＬＥＤであり、Ｕｐｐｅｒは上段カセット、Ｌｏｗｅｒは下段カセットからの給紙を選択する。
【００３１】
一方、４８は選択された給紙段に、現在どのサイズの用紙が入っているか、及び、普通紙が入っているか、トランスペアレンシーが入っているか、何も入っていないかを通知するものである。これらのサイズ検知、および紙種検知、及び用紙ありなし検知は各カセット中の不図示のセンサを用いて制御部１４が行い、表示を行う。次に、４９は拡大、縮小、または等倍コピーを選択するキー及び選択状況を確認するＬＥＤである。一番上はＡ４原稿をＡ３用紙に拡大コピーすることを選択し、次の２つも倍率の異なる拡大コピーを選択するキーである。上から４つめは等倍コピーを選択するキーである。上から５つめはＡ３原稿をＢ４用紋に縮小コピーを選択するキーであり、次の２つも倍率の異なる縮小コピーを選択するキーである。
【００３２】
次に、５０はモードメモリの呼び出しキー、及びモードメモリの登録キー、及びデフォルトモード設定キーである。モードメモリとは、操作部８で設定された各コピー動作指示の組み合わせ（モード）を記憶するためのものであり、５０におけるＭ１〜Ｍ８キーがそれぞれ１つの組み合わせ（モード）に対応し、計８個のモードを登録できる。モードメモリに登録するためには、まず登録したい各コピー動作指示の組み合わせを操作部８で設定した後、Ｓｅｔキーを押しながら例えばＭ１キーを押すと、Ｍ１に登録される。
【００３３】
ついでモードメモリの呼び出しは、単にＭ１〜Ｍ８キーを押すだけでよく、モードメモリ中に記憶されていた各コピー動作指示の組み合わせに応じて操作部８の各コピー動作指示が自動的に設定される。一方、デフォルトモードとは、電源オン時、及び、４２のＲｅｓｅｔキーを押した場合の、操作部８の初期状態を登録するためのものである。デフォルトモードを登録するためには、まず初期状態としたい各コピー動作指示の組み合わせを操作部８で設定した後、５０のＤｅｆａｕｌｔキーを押すことにより登録される。例えば、４６の両面モードの設定において両面コピーを選択した状態で、Ｄｅｆａｕｌｔキーを押すと、それがデフォルトとして登録され、電源オン時や、４２のＲｅｓｅｔキーを押した場合には、両面モードについては両面コピーが選択された状態になる。
【００３４】
次に、２１は操作部の下部に設けられたＩＤカードリーダであり、ここにＩＤカード４１を挿入して不図示の接点を経由してＩＤ情報を読み取る。複写機にＩＣカード等を挿入して、様々な情報を伝達する機能は既に製品化されているため、詳述はしないが、例えばＩＤカード４１の端部とＩＤカードリーダ２１が、コネクタにより電気的に接続される方式により、ＣＰＵ１７がＩＤカード４１内部の不図示のメモリに書き込まれているＩＤ情報を読み取ることができる。最後に、５１はパーソナライズキーであり、ＩＤカード４１が装着された状態で、このキーを押すことにより、操作部８の各設定をユーザ個人用にパーソナライズするためのキーである。
【００３５】
本実施の形態では、コストを抑えるため、操作部８をキー＆ＬＥＤで構成したが、これを液晶表示部＆タッチパネルで構成すると、各コピー動作指示について柔軟な設定が行え、また各種状態表示も詳細に表示できるようになる。
【００３６】
図３は、カラー複写機１における各種設定データを説明するための図である。
【００３７】
図3（ａ）は、不揮発性ＲＡＭ２０内のデータの保持状況であり、まず、操作部８上の各モードメモリキーＭ１〜Ｍ４に対応するモードメモリの内容がそれぞれ６１ａ〜６１ｄに記憶される。次に６１ｅは、操作部のところで説明したデフォルトモードを記憶するための領域である。次に、６１ｆは、その他の登録データを保持する領域である。不揮発性ＲＡＭ２０内のデータは、複写機の電源をオフしても消えないため、これらのモードメモリやデフォルトモードの内容も消えることはない。
【００３８】
本実施の形態においては、モードメモリＭ１〜Ｍ４は、全ユーザに共通となっており、パーソナライズの対象となっていない。よって、不揮発性ＲＡＭに記憶される。また、６１ｅに記憶されるデフォルトモードも、全ユーザに共通のものであり、パーソナライズが行われない場合は、この６１ｅのデフォルトモードメモリＡ中のデフォルトモードが、後述する６２ｆのデフォルトモードメモリＢにコピーされて使われる。
【００３９】
図3（ｂ）は、揮発性ＲＡＭ１９内のデータの保持状況であり、まず、操作部８上に現在設定されているコピーモードが６２ａに記憶される。次に、操作部８上の各モードメモリキーＭ５〜Ｍ８に対応するモードメモリの内容がそれぞれ６２ｂ〜６２ｅに記憶される。次に６２ｆは、操作部のところで説明したデフォルトモードを記憶するための領域である。次に、６２ｇは、作業用のワーク領域であり、その一部に、複写機に装着されている上段カセットの紙サイズと用紙種別を検知した結果を保持する領域６２ｈと、下段カセットの紙サイズと用紙種別を検知した結果を保持する領域６２ｉが含まれる。
【００４０】
揮発性ＲＡＭ１９内のデータは、複写機の電源をオフすると消えるため、電源オン時には各領域には初期値が設定される。具体的には、不揮発性メモリ２０中のデフォルトモードメモリＡ６１ｅ中のデフォルトモードが、現在のコピーモード６２ａ、各モードメモリ６２ｂ〜６２ｅ、デフォルトモードメモリＢ６２ｆにコピーされる。また、６２ａ〜６２ｆの領域の値はユーザごとにパーソナライズ可能であり、パーソナライズが行われた場合は、この領域のデータが各ユーザ用のデータに書き換えられる。また、パーソナライズを解除する場合には、この領域のデータは、電源オン時と同様、不揮発性メモリ中のデフォルトモードメモリＡ中のデフォルトモードに置き換えられて初期化される。
【００４１】
図３（ｃ）は、コピーモードの構成要素の具体例を示すものである。１つのコピーモードは、コピー部数の設定６３ａ、ノンソートコピーやソートコピー等を指示するソートモードの設定６３ｂ、片面コピーや両面コピー等を指示する両面モードの設定６３ｃ、給紙段の選択６３ｄ、選択された給紙段の用紙サイズ６３ｅ、選択された給紙段の用紙種別６３ｆ、等倍コピーや拡大コピー等を指示する変倍モードの設定６３ｇから構成される。
【００４２】
この構成のコピーモードにおいて、各コピーモードメモリやデフォルトモードメモリに登録を行う場合は、現在のコピーモードが、各コピーモードメモリやデフォルトモードメモリにそのままコピーされる。一方、各コピーモードメモリやデフォルトモードメモリが呼び出される場合は、逆に、それらの内容が現在のコピーモード領域６２ａにコピーされるが、このとき、記憶されている給紙段に記憶されている紙サイズや用紙種別が入っていない場合がある。その場合は、紙サイズと用紙種別の方を優先して給紙段が変更されるが、一致するものがない場合は、不図示のメッセージ部に、一致する紙サイズと用紙種別がない事を表示する。
【００４３】
前記述は、パーソナライズ制御についての説明であったが、ここでは、前記のようなパーソナライズ制御を行っている環境下において、そのパーソナライズ設定状況の確認を行う方法について説明する。
【００４４】
まず前提として、パネルのあるキー（ここではＭ４キーとしておく。Ｍ４キーは全ユーザに共通機能の役割である。）は、特別な機能として、パーソナライズ情報テストプリント機能を発動するためのキーとしておくものとする。そして、その時点ではユーザIDの取得によりパーソナライズ制御下に置かれているものとする。
【００４５】
まず、Ｍ４キーが押されるのを検知する。複写機はその制御下にあるパーソナライズの設定パラメータを用いて、印刷ジョブを形成するための処理を行い、全パラメータをレイアウトするレイアウト作成の後、印字データを作成し、画像処理部、画像形成部へ送信する。
【００４６】
これにより、つい忘れがちな、パーソナライズ制御のパラメータを印刷結果により簡単に確認することが可能である。
【００４７】
先の例ではIDカードによるユーザIDの取得により、その制御下におけるパーソナライズ情報のテストプリントを行わせた。使用しているユーザが自分の設定状況の確認を行うという、一般ユーザモード状況においてである。しかし、特別なユーザIDのカードを入力することによって、管理者のモードとすることにより、一般ユーザのパーソナライズ情報を印字することも可能である。この場合、管理者によって設定したいユーザを識別する、ユーザIDについては操作パネルからID番号やID文字列を入力する。これにより、総じて複写機管理者の管理負荷を軽減することが可能である。
【００４８】
次に、パーソナライズ情報テストプリント機能を発展させた例（履歴情報の付加）について説明する。前提としては、パーソナライズ制御を設定した時点から、その制御を用いて制御を行った各種の履歴情報が格納されていることである。
【００４９】
いわゆる履歴情報としては、設定日時、使用状況(何度使用されたか)、頻度（全体制御回数のうち、このパラメータを有効に使った割合）を想定する。
【００５０】
この履歴情報を付加したパーソナライズ情報テストプリントとすることにより、より効果的に、パーソナライズの状況を把握することが可能となるとともに、次回の設定に対するヒントを得ることが可能となる。
【００５１】
先の例では、パーソナライズ設定情報に加えて付加情報の印刷も行わせた。が、付加情報ではなく、パーソナライズ設定する値に関連付けし、書き込みを加えられるようなレイアウトで印刷を行う。リスト値からの選択、数値での入力については、マークシート方式で対応する。
【００５２】
この印刷結果に対して、ユーザが記述を鉛筆等で書き加え、さらにスキャナユニットより読み込むことにより、その記述内容の解析を行い、パーソナライズ設定情報の設定格納を行う。これにより、ユーザのパーソナライズ設定方法についての多大な軽減化がもたらされる。
【００５３】
一般ユーザだけでなく、管理者の設定負荷についても多大な軽減がなされると予想される。
【００５４】
前述した実施例は、コピー操作パネルのキーに対するパーソナライズ制御であったが、印刷ジョブに対する設定についても同様の概念でパーソナライズ制御を行うことは可能である。
【図面の簡単な説明】
【００５５】
【図１】本発明に係るネットワークの構成と、ネットワークに接続される複写機のシステム構成を説明する図である。
【図２】本発明の複写機における操作部を説明する図である。
【図３】本発明の複写機の各種設定データを説明する図である。
【符号の説明】
【００５６】
１  複写機１
２  ネットワークLAN
３  ネットワーク機能サーバホスト
４  他の複写機装置
５  FAX装置
６  プリンタ装置
７  外部インタフェース
８  操作部
９  画像読み取り部
１１  画像処理部
１３  画像形成部
１４  周辺インタフェース
１５  原稿自動給紙部
１６  ステープルソータユニット
１７  ＣＰＵ
１８  ＲＯＭ
１９  揮発性ＲＡＭ
２０  不揮発性ＲＡＭ
２１  ＩＤカードリーダ
【図１】
2006166172.tif 000003
【図２】
2006166172.tif 000004
【図３】
2006166172.tif 000005